(57)【要約】    【課題】  ホルダーの内孔の内周面全体を均一に清掃できるホルダー拭取り工具を提供すること。    【解決手段】 ホルダー拭取り工具１０が、作業者により把持される主軸１１と、主軸１１に同軸に設けられると共に螺旋状の溝１２ｇが外周面１２ｓに形成される回転軸１２と、溝１２ｇに係合する係合部１３ａが設けられ、係合部１３ａを介して回転軸１２を内周面１３ｓにて支持する円筒状の伝達部材１３と、主軸１１に同軸に固定されると共に伝達部材１３が挿通され、挿通された伝達部材１３に対する一方向への回転は可能であり、他方向への回転は不能である円筒状のワンウエイクラッチ１４と、回転軸１２に同軸に固定されると共に所定の範囲内で外径が可変であり、ホルダーＨの内孔Ｈａに挿入される筒状の拭取り部１５とを備える構成としたこと。【選択図】  図１
2005279881.tif 000002
【特許請求の範囲】
【請求項１】
作業者により把持される主軸と、
前記主軸に同軸に設けられると共に螺旋状の溝が外周面に形成される回転軸と、
前記溝に係合する係合部が設けられ、該係合部を介して前記回転軸を内周面にて支持する円筒状の伝達部材と、
前記主軸に同軸に固定されると共に前記伝達部材が挿通され、挿通された該伝達部材に対する一方向への回転は可能であり、他方向への回転は不能である円筒状のワンウエイクラッチと、
前記回転軸に同軸に固定されると共に所定の範囲内で外径が可変であり、清掃対象物の内孔に挿入される筒状の拭取り部とを備えることを特徴とするホルダー拭取り工具。
【発明の詳細な説明】
【技術分野】
【０００１】
本発明は、ホルダー拭取り工具に関し、特に、工作機械の主軸に取り付けられる円筒状のホルダーの内周面を清掃するホルダー拭取り工具に関する。
【背景技術】
【０００２】
機械部品の加工等に用いられる工作機械においては、工作機械の主軸（動力軸）にホルダーが取り付けられている。このホルダーには様々なタイプのものがあり、例えば、有底で略円筒状のホルダーにおいては、刃具が装着された筒状のスリーブがホルダーの内孔に収容されるようになっている。
【０００３】
工作機械の運転時には、切削液、クーラント等の流体が刃具の先端に噴射され、これにともなって、飛散した当該流体の一部がスリーブとホルダーとの隙間（クリアランス）にも必然的に流入する。したがって、ホルダーの内孔の内周面には、工作機械の運転時間の経過に伴って汚れ、塵等が徐々に付着していくことになり、定期的に清掃を行なう必要がある。
【発明の開示】
【発明が解決しようとする課題】
【０００４】
上述したホルダーの清掃は、工作機械のメンテナンス時等に行われ、刃具が装着されたスリーブをホルダーの内孔から取り外した後、ホルダーの内孔の内周面に付着した汚れ、塵等が清掃される。この場合、作業者がウエスを使って拭取る方法や、ウエスが巻き付けられた棒状の工具を使って拭取る方法などが、従来は用いられていた。ところが、このような方法では、内孔の内周面のうち、作業者の指が入るところまでしか拭取れなかったり、内孔の奥にあたる部位の拭取り（清掃）が不十分になったりして、ホルダーの内孔の内周面全体を均一に清掃することができなかった。
【０００５】
よって、本発明は上記の問題点に鑑みてなされたものであり、ホルダーの内孔の内周面全体を均一に清掃できるホルダー拭取り工具を提供することを課題とする。
【課題を解決するための手段】
【０００６】
上記課題を解決するために、本発明にて講じた技術的手段は、請求項１に記載の様に、ホルダー拭取り工具が、作業者により把持される主軸と、前記主軸に同軸に設けられると共に螺旋状の溝が外周面に形成される回転軸と、前記溝に係合する係合部が設けられ、該係合部を介して前記回転軸を内周面にて支持する円筒状の伝達部材と、前記主軸に同軸に固定されると共に前記伝達部材が挿通され、挿通された該伝達部材に対する一方向への回転は可能であり、他方向への回転は不能である円筒状のワンウエイクラッチと、前記回転軸に同軸に固定されると共に所定の範囲内で外径が可変であり、清掃対象物の内孔に挿入される筒状の拭取り部とを備える構成としたことである。
【発明の効果】
【０００７】
請求項１に記載の発明によれば、主軸に固定されたワンウエイクラッチによって、ワンウエイクラッチは伝達部材に対して一方向にのみ回転できる。すなわち、主軸は伝達部材に対して一方向にのみ回転可能であり、他方向には回転不能となっている。この場合、伝達部材は、係合部を介して、回転軸の外周面に形成された螺旋状の溝に係合しているので、主軸に対する伝達部材の回転が規制されるように回転軸の軸方向に関して何れかの方向に主軸が操作されると、係合部に係合される螺旋状の溝に案内されて回転軸が主軸に対して回転する。したがって、拭取り部が清掃対象物の内孔に挿入された状態のもとで主軸を清掃対象物から遠ざかる方向に操作した場合に伝達部材の主軸に対する回転が規制されるようにワンウエイクラッチのロック方向を設定すれば、伝達部材の係合部と回転軸の溝とによって、上述した主軸の操作に伴って回転軸は回転し、回転軸に同軸に固定された拭取り部も回転する。この場合、拭取り部は、ウエスを介して清掃対象物の内孔の内周面に当接した状態で同清掃対象物に対して回転し、同時に、回転軸の軸方向に沿って清掃対象物から遠ざかる方向（清掃対象物の内孔の外方）に向かって移動していく格好となる。その結果、清掃対象物の内孔の内周面全体を均一に清掃することができる。
【発明を実施するための最良の形態】
【０００８】
以下、本発明を実施するための最良の形態を、図面を基に説明する。図１は、本発明に係るホルダー拭取り工具１０の外観及び構造を模式的に描いた図である。
【０００９】
ホルダー拭取り工具１０は、主軸１１と、回転軸１２と、伝達部材１３と、ワンウエイクラッチ１４と、拭取り部１５とを備えている。
【００１０】
主軸１１は、略円筒形状を呈している。この主軸１１は、作業者によって把持される部位である。
【００１１】
回転軸１２は、主軸１１に同軸に設けられ、外周面１２ｓには螺旋状の溝１２ｇが形成されている。
【００１２】
伝達部材１３は、略円筒形状を呈しており、係合部１３ａが設けられている。この係合部１３ａは、回転軸１２の外周面１２ｓに形成された溝１２ｇに係合するものであり、回転軸１２は、この係合部１３ａを介して、伝達部材１３の内周面１３ｓにて支持されている。
【００１３】
ワンウエイクラッチ１４は、略円筒形状を呈し、主軸１１に同軸に固定されている。ワンウエイクラッチ１４には、伝達部材１３が挿通されている。この場合、公知の如く、伝達部材１３がワンウエイクラッチ１４に対して一方向にのみ回転可能となっている。つまり、ワンウエイクラッチ１４は、挿通された伝達部材１３に対して一方向には回転可能であり、他方向には回転不能となっている。
【００１４】
拭取り部１５は、略円筒形状を呈し、回転軸１２に同軸に固定されている。拭取り部１５には、複数のテーパ部材１６（図１においては２つのみ示す）が設けられている。複数のテーパ部材１６は、主軸１１ならびに回転軸１２内を貫通して拭取り部１５にまで延在する操作ロッド１７の端部１７ａの周囲を取り囲むように配置されている。操作ロッド１７の端部１７ａは、テーパ状に形成されている。複数のテーパ部材１６は、操作ロッド１７の端部１７ａの周囲を取り囲んだ状態で、環状のゴム等（図示なし）によって径内方向に常時付勢されている。この構造においては、回転軸１２の軸方向に関して、操作ロッド１７がホルダー拭取り工具１０の先端方向（拭取り部１５の方向）に操作されると、操作ロッド１７の端部１７ａが同先端方向に移動する。このとき、端部１７ａの周囲を取り囲むように配置された複数のテーパ部材１６は径内方向に常時付勢されているので、操作ロッド１７の端部１７ａの移動にともなって複数のテーパ部材１６が径内方向に移動し、拭取り部１５の外径が一時的に小さくなる。そして、この状態から、操作ロッド１７が元の位置（図１に示す位置）に戻るように操作されると、複数のテーパ部材１６は、操作ロッド１７の端部１７ａの移動にともなって、同端部１７ａにより付勢力に抗して径外方向に押動され、拭取り部１５の外径が元の状態（図１に示す状態）に戻る。つまり、複数のテーパ部材１６と、テーパ状の端部１７ａを有する操作ロッド１７とによって、拭取り部１５の外径は、所定の範囲内で可変となっている。
【００１５】
拭取り部１５の周囲には、例えば図１に示すようにウエスＷが取り付けられ、この状態で、有底で略円筒状のホルダーＨ（清掃対象物）の内孔Ｈａに挿入される。ウエスＷが取り付けられた拭取り部１５をホルダーＨの内孔Ｈａに挿入する場合には、上述の如く操作ロッド１７を操作することによって、拭取り部１５の外径をホルダーＨの内径よりも一時的に小さくする。そして、拭取り部１５がホルダーＨの内孔Ｈａに完全に挿入された後、操作ロッド１７を元の位置に戻るように操作すると、拭取り部１５の外径が元の状態に戻り、拭取り部１５がウエスＷを介してホルダーＨの内孔Ｈａの内周面Ｈｂに向かってある程度押し当てられた状態となる。これにより、拭取り部１５は、ウエスＷを介してホルダーＨの内孔Ｈａの内周面Ｈｂ全体に均一に当接するようになっている。
【００１６】
本発明のホルダー拭取り工具１０においては、主軸１１に固定されたワンウエイクラッチ１４によって、ワンウエイクラッチ１４は伝達部材１３に対して一方向にのみ回転できる。すなわち、主軸１１は伝達部材１３に対して一方向にのみ回転可能であり、他方向には回転不能となっている。この場合、伝達部材１３は、係合部１３ａを介して、回転軸１２の外周面１２ｓに形成された螺旋状の溝１２ｇに係合しているので、主軸１１に対する伝達部材１３の回転が規制されるように回転軸１２の軸方向に関して何れかの方向に主軸１１が操作されると、係合部１３ａに係合される螺旋状の溝１２ｇに案内されて回転軸１２が主軸１１に対して回転する。したがって、拭取り部１５がホルダーＨの内孔Ｈａに挿入された状態のもとで主軸１１をホルダーＨから遠ざかる方向に操作した場合に伝達部材１３の主軸１１に対する回転が規制されるようにワンウエイクラッチ１４のロック方向を設定すれば、伝達部材１３の係合部１３ａと回転軸１２の溝１２ｇとによって、上述した主軸１１の操作に伴って回転軸１２は回転し、回転軸１２に同軸に固定された拭取り部１５も回転する。この場合、拭取り部１５は、ウエスＷを介してホルダーＨの内孔Ｈａの内周面Ｈｂに当接した状態で同ホルダーＨに対して回転し、同時に、回転軸１２の軸方向に沿ってホルダーＨから遠ざかる方向（ホルダーＨの内孔Ｈａの外方）に向かって移動していく格好となる。その結果、ホルダーＨの内孔Ｈａの内周面Ｈｂ全体を均一に清掃することができる。
【図面の簡単な説明】
【００１７】
【図１】図１は、本発明に係るホルダー拭取り工具の外観及び構造の模式図である。
【符号の説明】
【００１８】
１０  ホルダー拭取り工具
１１  主軸
１２  回転軸
１２ｇ  溝  
１２ｓ  外周面
１３  伝達部材
１３ａ  係合部
１３ｓ  内周面
１４  ワンウエイクラッチ
１５  拭取り部
Ｈ  ホルダー（清掃対象物）
Ｈａ  内孔
【図１】
2005279881.tif 000003